(57)【要約】      （修正有）【課題】Ｅ型止め輪のサイズの違いに応じて工具を使い分ける必要はなく簡単に嵌合させることができ、さらに軸部材に嵌合されているＥ型止め輪の取り外し時においては、Ｅ型止め輪を保持して軸部から外れた瞬間に飛び散ることを確実に防止できるＥ型止め輪用の工具を提供すること。【解決手段】本体はやっとこ形状をしており、上下の挟み腕二腕５，６のうちの上方の腕５の先端部にはコの字形状の溝５ｇが形成され、溝５ｇ内に弾性押さえ部材７を備えており、Ｅ型止め輪Ａの一部が溝５ｇに挿入されたとき、溝５ｇによってＥ型止め輪Ａを保持するようになっており、上下の挟み腕二腕のうちの下方の腕６の先端部は、薄く幅の狭い形状をしており、軸部材Ｂの環状溝Ｃに嵌合して固定されているＥ型止め輪Ａと軸部材Ｂの外周面の環状に挿入可能であり、上下の挟み腕二腕５，６は、腕の途中から先端に向けて湾曲した側面視Ｚ形状である。【選択図】  図２
2007038324.tif 000002
【特許請求の範囲】
【請求項１】
精密機器や事務機の駆動部等における軸部材Ｂの環状溝Ｃに嵌合して固定されるＥ型止め輪Ａの取り付け及び取り外し工具であって、その本体はやっとこ形状をしており、上下の挟み腕二腕のうちの上方の腕５の先端部にはコの字形状の溝５ｇが形成され、当該溝５ｇ内に弾性押さえ部材７を備えた構成からなり、Ｅ型止め輪Ａの一部が溝５ｇに挿入されたとき、上記弾性押さえ部材７の弾力で上記溝５ｇにＥ型止め輪が保持されるようになっているＥ型止め輪の着脱工具。
【請求項２】
精密機器や事務機の駆動部等における軸部材Ｂの環状溝Ｃに嵌合して固定されるＥ型止め輪Ａの取り付け及び取り外し工具であって、その本体はやっとこ形状をしており、上下の挟み腕の下方腕６の先端部は、薄く幅の狭い形状をしており、前記軸部材Ｂに固定されているＥ型止め輪Ａと軸部材Ｂの外周面間の隙間に挿入可能であるＥ型止め輪の着脱工具。
【請求項３】
精密機器や事務機の駆動部等における軸部材Ｂの環状溝Ｃに嵌合して固定されるＥ型止め輪Ａの取り付け及び取り外し工具であって、その本体はやっとこ形状をしており、上下の挟み腕二腕５，６は、腕の途中から先端に向けて湾曲した側面視Ｚ形状であり、軸部材Ｂの任意の位置のＥ型止め輪Ａの着脱が可能である事を特徴とするＥ型止め輪の着脱工具。
【請求項４】
工具本体はやっとこ形状をしており、上下の挟み腕二腕５，６は、腕の途中から先端に向けて湾曲した側面視Ｚ形状であり、軸部材上の任意の位置のＥ型止め輪Ａの着脱が可能である、請求項１のＥ型止め輪の着脱工具。
【請求項５】
工具本体はやっとこ形状をしており、上下の挟み腕二腕５，６は、腕の途中から先端に向けて湾曲した側面視Ｚ形状であり、軸部材Ｂ上の任意の位置のＥ型止め輪Ａの着脱が可能である、請求項２のＥ型止め輪の着脱工具。
【請求項６】
精密機器や事務機の駆動部等における軸部材Ｂの環状溝Ｃに嵌合して固定されるＥ型止め輪Ａの取り付け及び取り外し工具であって、その本体はやっとこ形状をしており、上下の挟み腕二腕５，６のうちの上方の腕５の先端部にはコの字形状の溝５ｇが形成され、当該溝５ｇ内に弾性押さえ部材７を備えており、Ｅ型止め輪の一部が溝５ｇに挿入されたとき、溝５ｇによってＥ型止め輪Ａを保持するようになっており、
上記上下の挟み腕二腕５，６のうちの下方の腕６の先端部は、薄く幅の狭い形状をしており、前記軸部材Ｂに固定されているＥ型止め輪Ａと軸部材Ｂの外周面間の隙間に挿入可能であり、
上下の挟み腕二腕５，６は、腕の途中から先端に向けて湾曲した側面視Ｚ形状であり、軸部材Ｂ上の任意の位置のＥ型止め輪Ａの着脱が可能であるＥ型止め輪の着脱工具。
【発明の詳細な説明】
【技術分野】
【０００１】
この発明は、主に精密機械や事務機器などの駆動部に用いられる各種の回転または固定軸等の軸部材に、軸方向の移動規制や玉軸受け等の他の部材との係止具として装着される軸用止め輪のうち、Ｅ型止め輪用の取り付け及び取り外し工具に関するものである。
【背景技術】
【０００２】
通称「Ｅリング」と呼ばれるＥ型止め輪は、金属又は合成樹脂製の軸部材（丸軸）に形成された環状溝に、差込み用の工具やラジオペンチ等を用いて嵌合されるものであり、また、Ｅ型止め輪の取り外し作業は、専用の工具がないのでラジオペンチで挟んで引き抜いたり、Ｅ型止め輪と軸部材との隙間にマイナスドライバ−を差し込んで、こじあける等して取り外すのが一般的である。
【０００３】
ところで、やっとこ状刃先５，６のうちの一方の刃先６の先端の円弧状凹部８を軸部材Ｂの外周面に付き当て、軸部材Ｂの外端の環状溝Ｃに嵌めて固定されているＥ型止め輪Ａと軸部材Ｂとの隙間に、他方の刃先５のフック７を挿入してＥ型止め輪を外すＥ型止め輪着脱用工具が、実公昭５９−００３８１９号公報（特許文献１）に記載されている（図８、図８−１、図８−２参照。符号は同公報のものと同じ）。このものは、やっとこ１のくわえ部４を閉じたとき、前記フック部７（又は７１）が上記弧状凹部８よりも僅か前方に位置してくわえ部４が完全に閉じられるようになっているものである。
【０００４】
また、特開平１１−２１６６８３号公報（特許文献２）にＥ型止め輪用工具１１が記載されている（図９、図９−１。符号は同公報のものと同じ）。このものは、中間部に回転支点が設けられ相互に回転可能に支持された２本の棒状部材がプライヤ形状に構成され、先端部の各操作部が回転方向と直交する方向に相互にずれて構成されると共に前記操作部の一方のずれた部分には他方側へ開口する溝１１ｄが設けられていて、この溝１１ｄにＥ型止め輪を嵌めて保持させるようにしているものである。
この他に、やっとこ状のＥ型止め輪着脱用工具として、実公昭６３−０２２０６９号公報（特許文献３）に記載されているものもある。
【特許文献１】実公昭５９−００３８１９号公報
【特許文献２】特開平１１−２１６６８３号公報
【特許文献３】実公昭６３−０２２０６９号公報
【発明の開示】
【発明が解決しようとする課題】
【０００５】
上記特許文献１、特許文献２等に記載されている従来の取り付け用の止め輪工具の場合は、サイズの異なる種々のものに対応することができず、したがって、Ｅ型止め輪のサイズに応じて、種々のサイズの工具を用意してこれを使い分ける必要があり、他方、Ｅ型止め輪を取り外すのに他の工具を用いる場合があり、そのような場合、例えばマイナスドライバ−を用いると、軸部材から外れた弾みでＥ型止め輪が飛んでしまうことがある。
殊に装置内の軸部材に組み込まれたＥ型止め輪を取り外す場合に、これが飛んで当該装置内に落下すると、それを取り出すのが容易でない。このために、保守や修理などに多大な時間を要することになる。
また、Ｅ型止め輪が軸部材の端部から比較的大きく離間した位置に固定される場合は、その位置まで止め輪用工具の先端が届かず、したがって、その工具ではＥ型止め輪の着脱作業を行えないことがある。
【０００６】
本発明は、以上のような実状に鑑みてなされたもので、嵌合時においてはＥ型止め輪のサイズの違いに応じて工具を使い分ける必要はなく、また、Ｅ型止め輪を嵌合させる軸上の位置に関わり無く、簡単に嵌合させることができ、さらに軸部材に嵌合されているＥ型止め輪の取り外し時においては、Ｅ型止め輪を保持して軸部から外れた瞬間に飛び散ることを確実に防止できるＥ型止め輪用の工具を提供することをその課題とするものである。
【課題を解決するための手段】
【０００７】
上記課題を解決するための請求項１乃請求項６の発明は次のとおりである。
〔請求項１の発明〕
請求項１の発明は、精密機器や事務機の駆動部等における軸部材Ｂの環状溝Ｃに嵌合して固定されるＥ型止め輪Ａの取り付け及び取り外し工具、すなわち、Ｅ型止め輪の着脱工具１であって、その本体はやっとこ形状をしており、上下の挟み腕二腕５，６のうちの上方の腕５の先端部にはコの字形状の溝５ｇが形成され、当該溝５ｇ内に弾性押さえ部材を備えた構成からなり、Ｅ型止め輪Ａの一部が溝５ｇに挿入されたとき、溝５ｇによってＥ型止め輪Ａを保持するようになっている。
【０００８】
〔請求項２の発明〕
請求項２の発明は、精密機器や事務機の駆動部等における軸部材Ｂの環状溝Ｃに嵌合して固定されるＥ型止め輪Ａの取り付け及び取り外し工具であって、その本体はやっとこ形状をしており、その上下の挟み腕の下方先端部は、薄く幅の狭い形状をしており、前記軸部材Ｂに固定されているＥ型止め輪Ａと軸部材の外周面間の隙間に挿入可能である。
【０００９】
〔請求項３の発明〕
請求項３の発明は、精密機器や事務機の駆動部における軸部材Ｂに固定されるＥ型止め輪Ａの取り付け及び取り外し工具であって、その本体はやっとこ形状をしており、上下の挟み腕二腕５，６は、腕の途中から先端に向けて湾曲した側面視Ｚ形状であり、これにより、軸部材Ｂ上の任意の位置でのＥ型止め輪Ａの着脱操作を簡単容易に行うことができるものである。
【００１０】
〔請求項４の発明〕
請求項４の発明は、前記Ｅ型止め輪Ａの着脱工具のやっとこ形状のくわえ部となる挟み腕５，６の上方の腕の先端部にコの字の溝５ｇを形成し、当該溝５ｇ内に弾性押さえ部材７を備えたものであり、Ｅ型止め輪Ａを上記溝５ｇに嵌めて弾性押さえ部材７で押さえて保持することができ、上下の挟み腕二腕５，６は、腕の途中から先端に向けて湾曲した側面視Ｚ形状であり、これにより、軸部材Ｂ上の任意の位置でのＥ型止め輪Ａの着脱操作を簡単容易に行うことができる。
【００１１】
〔請求項５の発明〕
請求項５の発明は、そのＥ型止め輪Ａの着脱工具のやっとこ形状の上下の挟み腕５，６の下方腕６の先端部が薄く幅の狭い形状をしているので、Ｅ型止め輪Ａと軸部材Ｂの外周面間の隙間に挟み腕の下方腕の先端部を挿入して、マイナスドライバーを使用する場合と同様の要領で、前記軸部材Ｂに固定されているＥ型止め輪Ａを簡単容易に取り外すことができ、上下の挟み腕二腕５，６は、腕の途中から先端に向けて湾曲した側面視Ｚ形状であり、これにより、軸部材上の任意の位置でのＥ型止め輪Ａの着脱操作を簡単容易に行うことができる。
【００１２】
〔請求項６の発明〕
請求項６の発明は、精密機器や事務機の駆動部等における軸部材Ｂの環状溝Ｃに嵌合して固定されるＥ型止め輪Ａの取り付け及び取り外し工具であって、
その本体はやっとこ形状をしており、上下の挟み腕二腕５，６のうちの上方の腕５の先端部にはコの字形状の溝５ｇが形成され、当該溝５ｇ内に弾性押さえ部材７を備えており、Ｅ型止め輪Ａの一部が溝５ｇに挿入されたとき、溝５ｇによってＥ型止め輪Ａを保持するようになっており、
上記上下の挟み腕二腕のうちの下方の腕６の先端部は、薄く幅の狭い形状をしており、前記軸部材Ｂの環状溝Ｃに嵌合して固定されているＥ型止め輪Ａと軸部材Ｂの外周面の環状に挿入可能であり、
上下の挟み腕二腕５，６は、腕の途中から先端に向けて湾曲した側面視Ｚ形状であり、
軸部材上の任意の位置でのＥ型止め輪Ａの着脱操作を簡単容易に行うことができるものである。
【発明の効果】
【００１３】
〔請求項１の発明〕
請求項１の発明は、そのやっとこ形状の上下の挟み腕５，６のうちの上方の腕５の先端部にはコの字形状の溝５ｇが形成され、このコの字形状の溝５ｇ内に弾性体を備えており、当該弾性体によってＥ型止め輪をその厚さ方向から押さえて保持出来るので、上記弾性体の弾性変形可能なストロ−クの範囲内における厚さの種々のサイズのＥ型止め輪に対して使用可能であり、また、Ｅ型止め輪は上記コの字形状の溝５ｇ内に弾性的に保持されているので、取り外し時にこれが飛散することはない。
【００１４】
〔請求項２の発明〕
請求項２の発明は、やっとこ形状の上下の挟み腕５，６のうちの下方の腕６の先端部の形状が薄く幅の狭い形状のものであり、軸部材Ｂの環状溝Ｃに嵌合して固定されているＥ型止め輪Ａと軸部材Ｂの外周面間の隙間に挿入でき、本体がやっとこ形状であるにも関わらず、マイナスドライバ−を用いて取り外す場合と同様に、簡単・容易に使用することができる。
【００１５】
〔請求項３の発明〕
請求項３の発明は、そのやっとこ形状の挟み腕が、その途中から湾曲した側面視Ｚ形状により、上下の挟み腕二腕５，６の先端を軸部材の半径方向外方から環状溝Ｃに接近させることができるから、Ｅ型止め輪を着脱する軸部材における環状溝Ｃの軸方向位置の如何に関わらず、軸部材Ｂと干渉することなしにＥ型止め輪を容易に着脱することができる。
【００１６】
〔請求項４の発明〕
請求項４の発明は、請求項１の発明と請求項３の発明を組み合わせたものであるから、請求項１と請求項３の発明の両方の効果を奏する。
【００１７】
〔請求項５の発明〕
請求項５の発明は、請求項２の発明と請求項３の発明を組み合わせたものであるから、請求項２と請求項３の発明の両方の効果を奏する。
【００１８】
〔請求項６の発明〕
請求項６の発明は、当該工具上でＥ型止め輪を位置決めして保持出来るから、ラジオペンチやプライヤ−等を使用して着脱操作する場合のように片手でＥ型止め輪を押さえていなくても、軸部材Ｂの環状溝Ｃから外れた瞬間にＥ型止め輪Ａが飛び散るのを確実に防止することができ、また、取り外し作業を簡単容易に行うことができる。
【発明を実施するための最良の形態】
【００１９】
この発明の具体的な実施形態について、添付図面を参照しながら詳細に説明する。
〔実施例〕
図１に示すＥ型止め輪Ａは、金属又は合成樹脂製の軸部材Ｂに設けた環状溝Ｃに圧入して軸部材Ｂの軸方向の動きを規制しようとするものである。図２に示すＥ型止め輪Ａの着脱工具１は、把手２，２と結合部３及びくわえ部４とからなるものであり、くわえ部４を構成する上下の挟み腕５，６のうち上方の腕５の先端部にはコの字形状の溝５ｇが形成されており（図３参照）、この溝５ｇ内にＥ型止め輪Ａを保持するための弾性体７が設けられている。
一方、下方の腕６のくわえ部４側の表面にはあやめ模様の溝を形成している。これは、後述する軸部材ＢにＥ型止め輪Ａを取り付ける際の滑り止め機能を奏するものである。
【００２０】
Ｅ型止め輪Ａを軸部材Ｂに嵌合させる前の準備として、図４に前記の上方の腕５の先端部に形成されるコの字形状の溝５ｇ内で弾性体７による弾性を利用し、Ｅ型止め輪Ａを位置決め保持させた状態を示す。このときの弾性体として、バネ類・ゴム類などがありバネ類としては板バネなどが好ましい。金属板バネを使用例とした板バネを用いた場合の板バネの形状を拡大して図４−１に示している。このものは全体形状が溝５ｇに嵌着される大きさのコの字形状であり、その一辺の先端が傾斜した弾性舌片７ａになっているものである。Ｅ型止め輪Ａの一部が溝５ｇに押し込まれると、弾性舌片７ａが押されて弾性変形し、溝５ｇの内面と弾性舌片７ａとの間で弾性的に挟持する。
【００２１】
次に軸部材Ｂの環状溝ＣにＥ型止め輪Ａを嵌合させる方法を説明する。
図５に示すように、上方の腕５のコの字形状の溝５ｇ内に保持されたＥ型止め輪Ａの先端を軸部材Ｂの環状溝Ｃに位置合わせし、工具１の把手２，２を握ると、結合部（枢着軸）３を支軸にして上下挟み腕５，６が回動して、くわえ部４に位置する軸部材Ｂを挟みつける。このときの挟み付ける力により、Ｅ型止め輪Ａを上記溝Ｃに圧入して嵌合させる（押し込む）ことになる。このとき嵌合されたＥ型止め輪Ａは、それ自身の弾性力により相当な力で軸部材Ｂの環状溝Ｃに固定されており、嵌合後、把手２，２を開く事で上方の腕５は容易に外される。
【００２２】
また、図５に示すものは、Ｅ型止め輪Ａを嵌合させる環状溝Ｃの軸方向位置が軸端部にあるものであるが、図６に示すものの様に環状溝Ｃが軸端部より比較的奥まった位置にある場合は、挟み腕５，６の湾曲した側面視Ｚ形状であるので、挟み腕５，６から工具の結合部３及び把手２，２を半径方向外方に外し、その先端を半径方向外方から軸部材Ｂの環状溝に接近させることができる。このため、軸方向位置の如何に関わらず、上記環状溝Ｃにその横から挟み腕５，６の先端を到達させることができ、また常に軸部材Ｂの軸心に対して挟み腕を平行な向きにして取り付け取り外しを行うことが可能であるので、その作業が安定しており、汎用性が高い。
【００２３】
軸部材Ｂの環状溝Ｃにすでに嵌合されているＥ型止め輪Ａを取り外す方法を図７に示している。なお、これは軸心側から見た状態を示している。前記軸部材Ｂに嵌合しているＥ型止め輪Ａと軸部材Ｂ外周面との間の隙間に下方の腕６の先端を挿入し、把手２，２を握りながら上方の腕５のコの字形状の溝５ｇ内の弾性体７で挟み込むところに位置決めし、両挟み腕５，６の先端でＥ型止め輪Ａを保持しながら、マイナスドライバ−を使って取り外す場合と同様にして、軸部材Ｂから取り外す。軸部材Ｂの環状溝Ｃから外されたＥ型止め輪Ａは、上下の挟み腕５．６と弾性体７によって保持されているので飛散することはなく、安全に回収される。
【００２４】
軸部材Ｂの環状溝Ｃに嵌合固定されているＥ型止め輪Ａを取り外す場合の、軸部材Ｂ、Ｅ型止め輪Ａ、上下の挟み腕５，６等の位置関係（図７における位置関係）を側面側から見た状態は図７−１に示すとおりである。
【図面の簡単な説明】
【００２５】
【図１】は、軸部材Ｂの環状溝ＣにＥ型止め輪Ａをはめ込む状態を模式的に示す斜視図である。
【図２】は、この発明のＥ型止め輪Ａの着脱工具の具体例（実施例）の斜視図である。
【図３】は、Ｅ型止め輪Ａを溝５ｇに嵌めて保持させる直前の状態での、実施例の着脱工具の要部拡大側面図である。
【図４】は、Ｅ型止め輪Ａを溝５ｇに挿入して保持させた状態の実施例の着脱工具の要部拡大側面図である。
【図４−１】は弾性部材７の拡大斜視図である。
【図５】は、図３の着脱工具を使用してＥ型止め輪Ａを上記環状溝Ｃに嵌合させ、固着させる状態の側面図である。
【図６】は、「やっとこ形状の挟み腕が、その途中から湾曲した側面視Ｚ形状」を示すＥ型止め輪Ａの着脱工具の側面図である。
【図７】は、図２の着脱工具の挟み腕５，６の先端によって把持されている時の軸部材Ｂ、Ｅ型止め輪Ａ、挟み腕５，６の先端の関係を示す平面図である。
【図７−１】は、軸部材Ｂ、Ｅ型止め輪との間に挟み腕の下の腕６の薄い先端を挿入し、  挟み腕５，６の先端でＥ型止め輪Ａを把持した状態を示す側面図である。
【図８】は、特許文献１のＥ型止め輪の着脱工具の一例の側面図である。
【図８−１】は、特許文献１のＥ型止め輪の着脱工具の一例の要部斜視図である。
【図８−２】は、特許文献１のＥ型止め輪の着脱工具の使用状態の説明図である。
【図９】は、特許文献２のＥ型止め輪の着脱工具の平面図である。
【図９−１】は、特許文献２のＥ型止め輪の着脱工具の使用状態の断面図である。
【符号の説明】
【００２６】
Ａ：Ｅ型止め輪
Ｂ：軸部材
Ｃ：環状溝  
１：Ｅ型止め輪の着脱工具
２：把手
３：結合部
４：くわえ部
５：挟み腕のうちの上の腕
５ｇ：コの字状の溝
６：挟み腕のうちの下の腕
７：弾性部材
【図１】
2007038324.tif 000003
【図２】
2007038324.tif 000004
【図３】
2007038324.tif 000005
【図４】
2007038324.tif 000006
【図４−１】
2007038324.tif 000007
【図５】
2007038324.tif 000008
【図６】
2007038324.tif 000009
【図７】
2007038324.tif 000010
【図７−１】
2007038324.tif 000011
【図８】
2007038324.tif 000012
【図８−１】
2007038324.tif 000013
【図８−２】
2007038324.tif 000014
【図９】
2007038324.tif 000015
【図９−１】
2007038324.tif 000016